(57)【要約】【課題】ハウジングの吸気口を覆うフィルタ部材は変形させずに、フィルタ部材を容易にハウジングに対して着脱自在とした動力工具を提供する。【解決手段】モータ１２及びファン１３を収容し、吸気口が設けられるハウジング１０と、吸気口を覆うようにしてハウジング１０に取り付け可能なフィルタ部材５０と、ハウジング１０に設けられていて、作業者の操作によって、フィルタ部材５０の取外しを規制する規制位置とフィルタ部材５０の取外しを許容する許容位置との間で位置変更可能な環状規制部材４０と、を有する。【選択図】図１
2020203333.tif 000002
【特許請求の範囲】
【請求項１】
モータ及びファンを収容し、吸気口が設けられるハウジングと、
前記吸気口を覆うようにして前記ハウジングに取り付け可能なフィルタ部材と、
前記ハウジングに設けられ、作業者の操作によって、前記フィルタ部材の取外しを規制する規制位置と前記フィルタ部材の取外しを許容する許容位置との間で位置変更可能な規制部材と、を有する、動力工具。
【請求項２】
モータ及びファンを収容し、吸気口が設けられるハウジングと、
前記吸気口を覆うようにして前記ハウジングに取り付け可能なフィルタ部材と、
前記フィルタ部材の取付方向に延在する方向の軸を中心として回転することで、前記フィルタ部材の取外しを規制する規制位置と前記フィルタ部材の取外しを許容する許容位置との間で位置変更可能な規制部材と、を有する、動力工具。
【請求項３】
前記ハウジングは、第１及び第２分割ハウジング部を組み合わせたものであり、
前記規制部材は、前記第１及び第２分割ハウジング部によって回転可能に挟持される、請求項２に記載の動力工具。
【請求項４】
電源コードと、
前記電源コードに回転可能に設けられた覆い部材と、を有し、
前記規制部材は、前記覆い部材である、請求項１又は２に記載の動力工具。
【請求項５】
前記ハウジングは、前記規制部材を前記規制位置に係止可能な係止部を有する、請求項１から４のいずれか一項に記載の動力工具。
【請求項６】
前記規制部材は、前記ハウジングの後端部に設けられる、請求項１から５のいずれか一項に記載の動力工具。
【発明の詳細な説明】
【技術分野】
【０００１】
本発明は、携帯用電気グラインダー等の動力工具に関する。
【背景技術】
【０００２】
携帯用電気グラインダー等の動力工具には、防塵のために吸気口を覆う防塵フィルタを取り付け可能なものがある。
【０００３】
下記特許文献１では、モータハウジングに防塵フィルタをネジによって着脱可能に固定する構成が提案されている。防塵フィルタは定期的に掃除が必要となるが、ネジによる固定の場合、掃除の度にドライバ等の工具を使用しなければならず、防塵フィルタ着脱の作業性を損なっていた。
【０００４】
そこで、防塵フィルタに爪等の係合構造を設けてハウジングに係合させる、いわゆるツールレス構成が考えられる。しかし、防塵フィルタはハウジング外面に取り付けられるものであるため薄く形成されており、防塵フィルタに係合用の爪を設けた場合、当該爪も当然ながら薄く形成される。このため、防塵フィルタの着脱による変形が繰り返されると、爪部分が変形、又は破損し、防塵フィルタの装着が困難になる恐れがある。また、小さい部品となる防塵フィルタの係合部（つまり爪）を直接操作して変形させることは、特に指の大きな人にとっては困難になる可能性がある。
【先行技術文献】
【特許文献】
【０００５】
【特許文献１】特開２０１８−１０８６２５号公報
【発明の概要】
【発明が解決しようとする課題】
【０００６】
本発明はこうした状況を認識してなされたものであり、その目的は、ハウジングの吸気口を覆うフィルタ部材の変形・破損が生じにくいフィルタ部材の支持構造を有する動力工具を提供することにある。
【課題を解決するための手段】
【０００７】
本発明の第１の態様は動力工具である。この動力工具は、モータ及びファンを収容し、吸気口が設けられるハウジングと、前記吸気口を覆うようにして前記ハウジングに取り付け可能なフィルタ部材と、前記ハウジングに設けられ、作業者の操作によって、前記フィルタ部材の取外しを規制する規制位置と前記フィルタ部材の取外しを許容する許容位置との間で位置変更可能な規制部材と、を有する。
【０００８】
本発明の第２の態様も動力工具である。この動力工具は、モータ及びファンを収容し、吸気口が設けられるハウジングと、前記吸気口を覆うようにして前記ハウジングに取り付け可能なフィルタ部材と、前記フィルタ部材の取付方向に延在する方向の軸を中心として回転することで、前記フィルタ部材の取外しを規制する規制位置と前記フィルタ部材の取外しを許容する許容位置との間で位置変更可能な規制部材と、を有する。
【０００９】
前記ハウジングは、第１及び第２分割ハウジング部を組み合わせたものであり、前記規制部材は、前記第１及び第２分割ハウジング部によって回転可能に挟持されるとよい。
【００１０】
電源コードと、前記電源コードに回転可能に設けられた覆い部材と、を有し、前記規制部材は、前記覆い部材であるとよい。
【００１１】
前記ハウジングは、前記規制部材を前記規制位置に係止可能な係止部を有するとよい。
【００１２】
前記規制部材は、前記ハウジングの後端部に設けられるとよい。
【００１３】
なお、以上の構成要素の任意の組合せ、本発明の表現を方法やシステムなどの間で変換したものもまた、本発明の態様として有効である。
【発明の効果】
【００１４】
本発明に係る動力工具によれば、ハウジングの吸気口を覆うフィルタ部材は変形させることなく、フィルタ部材をハウジングに対して容易に着脱することが可能である。このため、フィルタ部材の取り付け、取り外しの作業性の向上及び耐久性の向上に寄与できる。
【図面の簡単な説明】
【００１５】
【図１】本発明に係る動力工具の実施の形態１であって、フィルタ部材装着状態の携帯用電気グラインダーの全体構成を示す一部を断面とした正面図。
【図２】同じくフィルタ部材非装着状態の携帯用電気グラインダーの全体構成を示す一部を断面とした正面図。
【図３】実施の形態１において、ハウジングの後側部分とフィルタ部材とを示す分解斜視図。
【図４】同じくハウジングの後側部分にフィルタ部材を装着したアンロック状態（非規制状態）の斜視図。
【図５】同じくハウジングの後側部分にフィルタ部材を装着してロックした状態（規制状態）の斜視図。
【図６】実施の形態１における分割ハウジング部を示す部分側断面図。
【図７】前記分割ハウジング部、これに設けられたフィルタ部材のための環状規制部材、及びコードアーマーを示す部分側断面図。
【図８】前記分割ハウジング部、これに設けられたフィルタ部材のための環状規制部材であって、環状規制部材がフィルタ部材を規制しないアンロック位置にあるときの斜視図。
【図９】前記環状規制部材であって、（Ａ）は操作用のつまみが突出する表側から見た斜視図、（Ｂ）は同じく前記環状規制部材を裏側から見た斜視図、（Ｃ）は操作用のつまみが突出する表側から見た正面図、（Ｄ）は同背面図、（Ｅ）は同側面図。
【図１０】本発明の実施の形態２であって、フィルタ部材が外れた状態の分解部分側面図。
【図１１】同じくフィルタ部材を装着し、ロック状態の部分側面図。
【図１２】実施の形態２において、フィルタ部材を装着したが、規制部材が規制位置から外れたアンロック状態の背面図。
【図１３】同じく規制部材を規制位置としたロック状態の背面図。
【図１４】本発明の実施の形態３であって、フィルタ部材を装着したロック状態の部分側断面図。
【図１５】本発明の実施の形態４であって、フィルタ部材が外れた状態の分解斜視図。
【図１６】同じくフィルタ部材が外れた状態であるが、フィルタ部材を装着可能なように規制部材としてのコードアーマーの回転位置を変えたときの分解斜視図。
【図１７】実施の形態４において、フィルタ部材を装着したが、規制部材としてのコードアーマーが非規制位置となっているアンロック状態の斜視図。
【図１８】同じく規制部材としてのコードアーマーが規制位置となっているロック状態の斜視図。
【発明を実施するための形態】
【００１６】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
（実施の形態１）
図１〜図９で本発明に係る動力工具としての実施の形態１である携帯用電気グラインダーについて説明する。ここでは、図１の紙面左側を前方向、右側を後方向、上側を上方、下側を下方、手前を左方向、奥を右方向とする。
【００１８】
図１及び図２は携帯用電気グラインダーの全体構成を示すもので、図１は本体のハウジング１０の後部側に防塵用のフィルタ部材５０を装着した状態、図２はフィルタ部材５０を外した状態を示す。ハウジング１０はモータ１２及びこの回転軸１２ａに固定されたファン１３を収容している。また、ハウジング１０の後側には吸気口１０ａが設けられている。ファン１３の回転によって吸気口１０ａから冷却のための空気がハウジング１０の内部に取り込まれる。
【００１９】
ハウジング１０の前側には、減速機構１４を内蔵したギヤケース２０が連結固定されている。減速機構１４はモータ１２の回転軸１２ａの回転を減速して砥石ホイル（先端工具）３０に伝達するものであり、相互に噛み合う傘歯車１４ａ，１４ｂとスピンドル１５とを有し、スピンドル１５に砥石ホイル３０が装着される。傘歯車１４ａは回転軸１２ａに固着され、傘歯車１４ｂはスピンドル１５に固着されている。スピンドル１５は軸受１６でギヤケース２０に支持されている。ギヤケース２０には砥石ホイル３０の一部を覆うホイルガード３１が設けられている。ハウジング１０の後端部には電源コード（図示せず）の基部を覆って保護する覆い部材としてのコードアーマー３５が設けられている。
【００２０】
ハウジング１０の後部の左右両側面に吸気口１０ａが形成されており、左右両側の吸気口１０ａを覆うようにフィルタ部材５０が着脱自在に装着される。フィルタ部材５０は部分的にメッシュ部５０ａ（網構造）を有し、空気は通すが金属片など大きい粒子の粉塵は通さないようになっている。フィルタ部材５０の装着方向はハウジング１０の前後方向であり、フィルタ部材５０はハウジング１０の上下方向には外れないようにハウジング１０に係合可能である。ハウジング１０の下部には、モータ１２の下方から後方に向かい、フィルタ部材５０の下方まで延在するように操作レバー１７が設けられている。作業者は、ハウジング１０を握って操作レバー１７を上方に向かって押圧操作することで、モータ１２を回転駆動させることができる。フィルタ部材５０がハウジング１０に取り付けられた状態では、作業者はフィルタ部材５０を含むようにしてハウジング１０を把持し、操作レバー１７を操作可能となっている。
【００２１】
図３〜図５に示すように、フィルタ部材５０の底面部及び背面部には、ハウジング１０から引き出されるコードアーマー３５及び電源コードを回避できるように溝部５１が設けられるとともに、背面部にはハウジング１０側に設けられる環状規制部材４０と係合可能なように円形開口部５２が設けられている。円形開口部５２は溝部５１と連通している。また、円形開口部５２の縁から内側に向けて環状規制部材４０と係合する係合部としての対をなす係合片５３が例えば１８０度間隔で設けられている。環状規制部材４０がロック位置にあるときに、係合片５３は環状規制部材４０でフィルタ部材５０が外れないように規制される。
【００２２】
図６〜図８は、本体のハウジング１０を、左右に２分割した分割ハウジング部１１を示す。図６〜図８には右側の（第１の）分割ハウジング部１１が示されており、左側の（第２の）分割ハウジング部１１はこれに合わされるような対称形状となっている。本体のハウジング１０は、左右に２分割された分割ハウジング部１１を相互に嵌合し、ネジ止めで一体化した構造である。分割ハウジング部１１にはコードアーマー３５の環状リブ３６と嵌合する凹溝１１ａが形成される。また、分割ハウジング部１１には環状規制部材４０を回転自在に保持する凹溝１１ｃを有するホルダ部１１ｂが一体に設けられる。図８のようにホルダ部１１ｂの外周の一部は歯車形状部１１ｄとなっている。また、ホルダ部１１ｂの中間に形成された切欠１１ｅはフィルタ部材５０の係合片５３が嵌まり込む係合部分となる。
【００２３】
左右の分割ハウジング部１１を突き合わせて一体化したときに、環状規制部材４０は左右の分割ハウジング部１１のホルダ部１１ｂによって回転可能に挟持される。このとき、環状規制部材４０は、フィルタ部材５０の取付方向に延在する方向の軸を中心として回転する配置となる。
【００２４】
図９（Ａ）は操作用のつまみ４５が突出する表側から見た環状規制部材４０の斜視図、（Ｂ）は環状規制部材４０を裏側から見た斜視図、（Ｃ）は操作用のつまみ４５が突出する表側から見た正面図、（Ｄ）は同背面図、（Ｅ）は同側面図である。これらの図に示すように、環状規制部材４０は、ハウジング１０の円形開口部５２に回転自在に嵌合する円筒部４１と、円筒部４１の外周面から突出しホルダ部１１ｂの凹溝１１ｃに回転方向に摺動自在に係合する抜け防止用凸部４２と、円筒部４１の外側端部に形成された規制片４３と、規制片４３から突出する操作用のつまみ４５と、ホルダ部１１ｂの歯車形状部１１ｄに弾性力で係合する弾性爪部４４とを有する。
【００２５】
図５に示すように、環状規制部材４０がフィルタ部材５０の位置を規制するロック状態では、規制片４３はフィルタ部材５０の係合片５３の上を覆う配置となり、フィルタ部材５０の抜け方向の動きを規制する（フィルタ部材５０を外せないようにする）。円筒部４１と一体の弾性爪部４４は弾性力でホルダ部１１ｂの歯車形状部１１ｄに係合しており、操作力が一定トルク以上でないと、環状規制部材４０は回転しないから、所定の外力が加わらない限り環状規制部材４０のロック状態は保持される。つまり、環状規制部材４０の弾性爪部４４と、ホルダ部１１ｂの歯車形状部１１ｄとは、通常の使用状態では環状規制部材４０が動かないようして環状規制部材４０をロック位置（規制位置）に係止可能な係止部として機能する。
【００２６】
図３〜図５を用いて実施の形態１の場合の防塵用のフィルタ部材５０の装着手順を説明する。図３のように環状規制部材４０をアンロック状態としてフィルタ部材５０を本体のハウジング１０の後側から吸気口１０ａを覆うように被せていく。このとき、ホルダ部１１ｂの中間に形成された切欠１１ｅは、環状規制部材４０の規制片４３で覆われていないから、図４のようにフィルタ部材５０の係合片５３は切欠１１ｅに嵌まり、ハウジング１０の吸気口１０ａを覆うようにフィルタ部材５０を装着できる。そして、図５に示すように、操作用のつまみ４５を手動操作し、環状規制部材４０がフィルタ部材５０の位置を規制するロック状態に設定することによって、規制片４３はフィルタ部材５０の係合片５３の上を覆う配置となり、フィルタ部材５０の抜け方向の動きを規制する（フィルタ部材５０を外せないようにする）。円筒部４１と一体の弾性爪部４４は弾性力でホルダ部１１ｂの歯車形状部１１ｄに係合している（噛み合っている）。つまみ４５を操作して一定トルク以上の操作力を環状規制部材４０に加えた場合には、弾性爪部４４は歯車形状部１１ｄの歯列を乗り越えて移動し、規制片４３はロック位置に移動できる。一定トルク以上の外力が加わらないと環状規制部材４０は回転しないから、環状規制部材４０のロック状態は保持される。
【００２７】
フィルタ部材５０をハウジング１０から外す場合には、図５のロック状態から一定トルク以上の操作力で環状規制部材４０のつまみ４５を操作すれば、弾性爪部４４が歯車形状部１１ｄの歯列を乗り上げて移動する。これにより、環状規制部材４０を図４のアンロック状態とすれば、フィルタ部材５０を外すことが可能になる。
【００２８】
本実施の形態によれば、下記の効果を奏することができる。
【００２９】
(1) 吸気口１０ａを覆うように本体のハウジング１０に取り付け可能な防塵用のフィルタ部材５０の着脱のために、ハウジング１０側に環状規制部材４０を設けている。環状規制部材４０は、作業者の操作によって、フィルタ部材５０の取外しを規制する規制位置（ロック位置）とフィルタ部材５０の取外しを許容する許容位置（アンロック位置）との間で位置変更可能であり、フィルタ部材５０のハウジング１０への装着を確実にし、かつ取り外しを工具無しで容易に行うことができる。
【００３０】
(2) フィルタ部材５０とは別に環状規制部材４０を設けることで、フィルタ部材５０に着脱の度に変形する係止用の爪部を設ける必要がなく、外力の繰り返しでフィルタ部材５０が破損することが抑制される。また、フィルタ部材５０に不意に力が加わった際に、爪部が変形若しくは破損してフィルタ部材５０がハウジング１０から外れる問題も生じない。特に、本実施の形態ではフィルタ部材５０と操作レバー１７が前後方向で同位置にあるため、作業者はフィルタ部材５０を介してハウジング１０を保持しながら操作レバー１７を操作可能となっているところ、作業者の手からフィルタ部材５０に前後方向の力が加わったとしても、環状規制部材４０（ハウジング１０の一部）によってフィルタ部材５０が移動してしまうことを抑制できる。
【００３１】
(3) 環状規制部材４０はフィルタ部材５０の取付方向に延在する方向の軸を中心として回転することで、フィルタ部材５０の取外しを規制する規制位置とフィルタ部材の取外しを許容する許容位置との間で位置変更可能である。環状規制部材４０の回転方向の操作は、携帯用電気グラインダーの研削・切断作業の本来の操作には必要とされないものであり、携帯用電気グラインダーの使用中に環状規制部材４０が誤って操作されてしまうことはない。また、環状規制部材４０は、前後方向視でハウジング１０の外形から突出しない（径方向に飛び出ない）ようになっており、美観やコンパクト化の面で秀でている。また、環状規制部材４０は、少なくとも部分的にコーアーマー３５の後端とハウジング１０の後部（分割ハウジング１１）よりも後端の間に位置するようにしているので、従来あったハウジング形状を保ちやすくなり、従来の動力工具に本発明を適用することが容易となる。
【００３２】
（実施の形態２）
図１０〜図１３で本発明の実施の形態２を説明する。ここで、図１０は防塵用のフィルタ部材５０Ａが本体のハウジング１０から外れた状態の分解部分側面図、図１１はフィルタ部材５０Ａのハウジング１０に対する装着状態の部分側面図、図１２はフィルタ部材５０Ａをハウジング１０に装着したが、板状規制部材６０が規制位置から外れたアンロック状態の背面図、図１３は板状規制部材６０を規制位置としたロック状態の背面図である。
【００３３】
板状規制部材６０は、ハウジング１０の後端面にピン６１で取り付けられ、ハウジング１０の後端面に沿って回動自在である。また、ハウジング１０の後端面には板状規制部材６０をロック位置にて支持する受け具６５が設けられている。受け具６５には板状規制部材６０をロック状態に保持するための係合穴部６５ａが形成され、板状規制部材６０にはロック位置にて係合穴部６５ａと係合可能な係合凸部６０ａが形成されている。なお、板状規制部材６０をピン６１で取り付けることで、板状規制部材６０をハウジング１０から取り外し不能とすることも可能である。
【００３４】
フィルタ部材５０Ａは実施の形態１に示したフィルタ部材５０の背面部の構成を省略した構造である。ハウジング１０に長手方向に設けられたガイドレール１０ｂと係合して摺動するスライド係合部５９を有する。その他はフィルタ部材５０と同様である。
【００３５】
図１０〜図１３を用いて実施の形態２の場合の防塵用のフィルタ部材５０Ａの装着手順を説明する。図１０及び図１２のように板状規制部材６０をアンロック状態としてフィルタ部材５０Ａを本体のハウジング１０の後側から吸気口１０ａを覆うようにハウジング１０の長手方向に移動して被せる。次いで、図１１及び図１３のように板状規制部材６０を回動させて受け具６５に係合させたロック位置とする。図１１及び図１３のロック状態ではフィルタ部材５０Ａの後端が板状規制部材６０で覆われ（押さえられ）フィルタ部材５０Ａの取り外し方向の移動は規制（禁止）される。受け具６５側の係合穴部６５ａと、板状規制部材６０の係合凸部６０ａとが係合することで、作業者からの操作力がなければロック状態が維持される。
【００３６】
逆に、作業者の操作力で図１３のロック状態から図１２のアンロック状態に板状規制部材６０を回動させることで、フィルタ部材５０Ａをハウジング１０から取り外すことが可能である。
【００３７】
この実施の形態２の場合にも、板状規制部材６０は、作業者の操作によって、フィルタ部材５０Ａの取外しを規制する規制位置（ロック位置）とフィルタ部材５０Ａの取外しを許容する許容位置（アンロック位置）との間で位置変更可能であり、フィルタ部材５０Ａのハウジング１０への装着を確実にし、かつ取り外しを工具無しで容易に行うことができ、実施の形態１と同様の効果を奏することができる。
【００３８】
（実施の形態３）
図１４で本発明の実施の形態３を説明する。図１４に示すように、テーパー付規制部材７０は、バネ７６により本体のハウジング１０から突出方向に付勢された軸体７５に設けられている。軸体７５はハウジング１０の内側においてハウジング１０に略垂直に設けられ、テーパー付規制部材７０は基部が軸体７５に固定で、先端部７１がハウジング１０の外側に突出している。テーパー付規制部材７０は先端面がテーパー面７２であり、防塵用のフィルタ部材５０Ｂを受け入れる側、つまりハウジング１０の後端に向かって高さが低い傾斜面となっている。軸体７５の先端部は解除用押しピン部７５ａとしてハウジング１０の外側に突出している。テーパー付規制部材７０及び軸体７５はハウジング１０の内部に取り付けられており、テーパー付規制部材７０をハウジング１０から取り外し不能とすることも可能である。
【００３９】
フィルタ部材５０Ｂの係合部分にはテーパー付規制部材７０の先端部７１が係合する穴部（又は凹部）５５が設けられる。フィルタ部材５０Ｂは実施の形態１に示したフィルタ部材５０の背面部の構成を省略した構造であり、その他はフィルタ部材５０と同様である。  
【００４０】
実施の形態３の場合、ハウジング１０の後部側よりフィルタ部材５０Ｂを装着方向に移動させると、フィルタ部材５０Ｂの縁部がテーパー付規制部材７０のテーパー面７２に当接し、バネ７６が縮むことでテーパー付規制部材７０の先端部７１はフィルタ部材５０Ｂの装着の妨げにならないように後退する。そして、テーパー付規制部材７０の先端部７１がフィルタ部材５０Ｂの穴部（又は凹部）５５にバネ力で嵌入して、フィルタ部材５０Ｂが外れるのを規制（禁止）する。
【００４１】
軸体７５の先端部である解除用押しピン部７５ａを押し下げれば、テーパー付規制部材７０の先端部７１とフィルタ部材５０Ｂの穴部（又は凹部）５５との係合が外れ、ロック解除、すなわちアンロック状態となり、フィルタ部材５０Ｂをハウジング１０から取り外すことができる。
【００４２】
実施の形態３の構成においても、テーパー付規制部材７０は、作業者の操作によって、フィルタ部材５０Ｂの取外しを規制する規制位置（ロック位置）とフィルタ部材５０Ｂの取外しを許容する許容位置（アンロック位置）との間で位置変更可能であり、フィルタ部材５０Ｂのハウジング１０への装着を確実にし、かつ取り外しを工具無しで容易に行うことができる。
【００４３】
（実施の形態４）
図１５〜図１８で本発明の実施の形態４を説明する。実施の形態４は規制部材として、電源コードの基部を覆って保護するコードアーマー３５Ａを利用したものである。ここで、図１５は防塵用のフィルタ部材５０Ｃが本体のハウジング１０から外れた状態の分解斜視図、図１６はフィルタ部材５０Ｃが外れた状態であるが、フィルタ部材５０Ｃを装着可能なように規制部材としてのコードアーマー３５Ａの回転位置を変えたときの分解斜視図、図１７はフィルタ部材５０Ｃを装着したが、コードアーマー３５Ａが非規制位置となっているアンロック状態の斜視図、図１８はコードアーマー３５Ａが規制位置となっているロック状態の斜視図である。これらの場合、コードアーマー３５Ａは、フィルタ部材５０Ｃの取付方向に延在する方向の軸を中心として回転する配置となる。
【００４４】
コードアーマー３５Ａはハウジング１０から引き出される電源コードの基部を保護するゴム等の絶縁弾性体からなる覆い部材であり、ハウジング１０の後端部に回転可能に取り付けられている。コードアーマー３５Ａのハウジング１０から外部に導出された部分の外周部には例えば１８０度間隔で規制用凸部３７が設けられている。
【００４５】
フィルタ部材５０Ｃの底面部及び背面部には、ハウジング１０から引き出されるコードアーマー３５及び電源コードを回避できるように溝部５１が設けられるとともに、背面部にはハウジング１０の外側に導出されたコードアーマー３５Ａの基部の直径よりも僅かに大きな円形開口部５６が設けられている。円形開口部５６は溝部５１と連通している。さらに、円形開口部５６には規制用凸部３７を通過させるための切欠５７が形成されている。また、円形開口部５６の周縁部には、フィルタ部材５０Ｃの装着、ロック後の規制用凸部３７の回り止めとなる凸部５８が複数（例えば図示の例では２対）設けられる。コードアーマー３５Ａの規制用凸部３７とフィルタ部材５０Ｃの凸部５８とは、通常の使用状態では規制用凸部３７が許容位置（アンロック位置）に移動しないようにする係止部として機能する。
【００４６】
図１５〜図１８を用いて実施の形態４の場合の防塵用のフィルタ部材５０Ｃの装着手順を説明する。図１５はコードアーマー３５Ａの初期状態であり、この状態からコードアーマー３５Ａを回転させて、防塵用のフィルタ部材５０Ｃが装着可能なように規制用凸部３７を図１６の回転位置とする。つまり、コードアーマー３５Ａの規制用凸部３７の一方がフィルタ部材５０Ｃの溝部５１を通過可能で、他方が切欠５７を通過可能な位置関係に設定する。次いで、図１７のようにフィルタ部材５０Ｃをハウジング１０の外側に装着し、フィルタ部材５０Ｃの背面部の円形開口部５６がコードアーマー３５Ａの基部に嵌まるようにする。その後、コードアーマー３５Ａを回転して、図１８のように規制用凸部３７を円形開口部５６の周縁部の凸部５８を乗り越えた規制位置（ロック位置）とする。この状態では規制用凸部３７でフィルタ部材５０Ｃの背面部が規制されており、フィルタ部材５０Ｃをハウジング１０から取り外すことはできない。
【００４７】
逆に、図１８の規制用凸部３７の規制位置から図１７の許容位置（アンロック位置）に規制用凸部３７を回転移動させることで、図１６のようにフィルタ部材５０Ｃをハウジング１０から取り外すことが可能である。
【００４８】
この実施の形態４の場合にも、規制部材としてのコードアーマー３５Ａは、作業者の操作によって、フィルタ部材５０Ｃの取外しを規制する規制位置（ロック位置）とフィルタ部材５０Ｃの取外しを許容する許容位置（アンロック位置）との間で位置変更可能であり、フィルタ部材５０Ｃのハウジング１０への装着を確実にし、かつ取り外しを工具無しで容易に行うことができ、実施の形態１と同様の効果を奏することができる。さらに、本来必要な部材であるコードアーマーを規制部材として利用するから、部品点数の増加を招くことがなく、コスト低減が可能である。
【００４９】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５０】
実施の形態１において、環状規制部材の細部の構成は適宜変更可能であり、ハウジング側の環状規制部材の保持構造も適宜変更可能である。
【００５１】
実施の形態２において、板状規制部材をロック状態に保持するための機構は適宜変更可能である。
【００５２】
実施の形態４において、規制部材として機能可能であればコードアーマーの外形は適宜変更可能である。
【００５３】
本発明の実施の形態では、携帯用電気グラインダーを例示したが、フィルタ部材を装着する電動工具、電動作業機等の動力工具に本発明は適用可能である。
【符号の説明】
【００５４】
１０  ハウジング、１０ａ  吸気口、１１  分割ハウジング部、１１ａ，１１ｃ  凹溝、
１１ｂ  ホルダ部、１２  モータ、１３  ファン、３５，３５Ａ  コードアーマー、
３７  規制用凸部、４０  環状規制部材、４３  規制片、
５０，５０Ａ，５０Ｂ，５０Ｃ  フィルタ部材、５３  係合片、６０  板状規制部材、
６１  ピン、６５  受け具、７０  テーパー付規制部材、７２  テーパー面、７５  軸体
【図１】
2020203333.tif 000003
【図２】
2020203333.tif 000004
【図３】
2020203333.tif 000005
【図４】
2020203333.tif 000006
【図５】
2020203333.tif 000007
【図６】
2020203333.tif 000008
【図７】
2020203333.tif 000009
【図８】
2020203333.tif 000010
【図９】
2020203333.tif 000011
【図１０】
2020203333.tif 000012
【図１１】
2020203333.tif 000013
【図１２】
2020203333.tif 000014
【図１３】
2020203333.tif 000015
【図１４】
2020203333.tif 000016
【図１５】
2020203333.tif 000017
【図１６】
2020203333.tif 000018
【図１７】
2020203333.tif 000019
【図１８】
2020203333.tif 000020